(57)【特許請求の範囲】
【請求項１】
本体に設けられた挿入口より挿脱自在に装着され、一定量の水が貯えられる水槽部と、前記水槽部内の水の有無を検出する水位検出部と、吸込口と吹出口を連通する送風経路に送風する送風機と、前記送風機から送られる空気を加熱する温風用ヒータと、前記水槽部内で水に浸された状態で送風経路中に設置される気化フィルタと、前記水槽部および前記気化フィルタの清掃時期を知らせる警告表示部と、前記警告表示部を駆動させる制御部と、前記制御部からの指示により時間を計測するタイマーと、前記タイマーを初期状態にするリセットスイッチとを備えた加湿機能付温風暖房機において、前記制御部は、前記初期状態から最初に前記水位検出部により所定量以上の水位を検出したときに前記タイマーで計測を開始し、計測した時間が所定時間Ｔ１に達すると前記警告表示部を駆動させるとともに、水位が所定量未満となったことを検出した後に、暖房運転を行い前記水槽部および前記気化フィルタが乾燥したと判断したときには前記タイマーの計測を停止することを特徴とする加湿機能付温風暖房機。
【請求項２】
前記制御部は、前記水位検出部により水位が所定量未満となったことを検出してから前記温風用ヒータに通電した時間の計測を前記タイマーで開始し、前記通電時間が所定時間Ｔ２に達すると前記水槽部および前記気化フィルタが乾燥したと判断することを特徴とする請求項１記載の加湿機能付温風暖房機。
【請求項３】
前記制御部は、前記タイマーの計測を停止中に前記水位検出部により再度所定量以上の水位を検出したら前記タイマーの計測を再開することを特徴とする請求項２記載の加湿機能付温風暖房機。
【発明の詳細な説明】
【技術分野】
【０００１】
本発明は、室内空気の加湿を行うと共に温風暖房運転を行うことが可能な加湿機能付温風暖房機に関し、特に水槽部や気化フィルタの清掃時期の報知に関するものである。
【背景技術】
【０００２】
従来の加湿機能を備えた機器において、長期の加湿運転によって水槽部に付着した汚れやスケールの除去を促すために、水槽部や気化フィルタの清掃時期を判断してユーザーに報知するようになっている。例えば、特許文献１のように加湿器稼働中の加湿時間をカウントして積算するためのタイマーを有し、積算した総加湿時間が所定時間に達すると警告ランプを表示させて水槽部（蒸発皿）の清掃時期をユーザーに報知するものがある。
【０００３】
また、特許文献２のように送風機の風量および温風用ヒータの通電とにより加湿量を推定して、この加湿量を積算した総量によって気化フィルタに付着する汚れの度合いを精度よく判断するとともに、それと並行して電源投入時間の累積時間によっても汚れの度合いを判断することで、適切なタイミングで報知手段を作動させるものがある。
【先行技術文献】
【特許文献】
【０００４】
【特許文献１】特開平８−２７０９９０号公報
【特許文献２】特開２０１４−２０６３５号公報
【発明の概要】
【発明が解決しようとする課題】
【０００５】
特許文献１では積算した総加湿時間により清掃時期の判定を行っているので、例え水槽部内に水が残っていたとしても、加湿器が稼動していない場合には加湿時間のカウントは停止してしまう。このため、水槽部内に水が残ったまま長時間加湿運転が行われない場合には積算した総加湿時間が所定時間に到達せずに清掃時期の報知は行われないので、残った水の劣化や、水槽部および気化フィルタに付着した汚れ、スケールの腐敗により雑菌が繁殖し、悪臭が発生する可能性がある。
【０００６】
また、加湿機能を備えた機器の一つとして加湿機能付温風暖房機があり、この加湿機能付温風暖房機においても上記した雑菌繁殖による問題が発生する恐れがあることから、上記特許文献に示した水槽部および気化フィルタの清掃時期の報知を行っている。この加湿機能付温風暖房機は加湿を行わずに暖房運転を単独で使用することも可能であり、暖房運転のみ長時間使用し続けたときなど、水槽部や気化フィルタに水がないことが想定される場合には水槽部や気化フィルタには雑菌が繁殖しにくい状態となる。しかしながら、特許文献２の判定方法を用いると、雑菌繁殖しにくい暖房運転単独での使用中にも電源投入時間の積算を行うことになるため、水槽部および気化フィルタの清掃が必要でないにもかかわらず清掃時期の報知を行ったり、清掃回数が増えたりする可能性があり、使い勝手を悪くさせる恐れがある。
【０００７】
本発明は上記課題を解決するためのもので、水槽部内に残った水に雑菌が繁殖して悪臭が発生する前に水槽部及び気化フィルタの清掃時期をユーザーに報知することができるとともに、水槽部および気化フィルタに水がなく雑菌繁殖しにくい状態のときには清掃時期を判断する時間の計測を行うことなく、機器使用の実情に合った清掃時期の判断を行うことができる、使い勝手に優れた加湿機能付温風暖房機を提供することを目的とする。
【課題を解決するための手段】
【０００８】
本発明は、本体に設けられた挿入口より挿脱自在に装着され、一定量の水が貯えられる水槽部と、前記水槽部内の水の有無を検出する水位検出部と、吸込口と吹出口を連通する送風経路に送風する送風機と、前記送風機から送られる空気を加熱する温風用ヒータと、前記水槽部内で水に浸された状態で送風経路中に設置される気化フィルタと、前記水槽部および前記気化フィルタの清掃時期を知らせる警告表示部と、前記警告表示部を駆動させる制御部と、前記制御部からの指示により時間を計測するタイマーと、前記タイマーを初期状態にするリセットスイッチとを備えた加湿機能付温風暖房機において、前記制御部は、前記初期状態から最初に前記水位検出部により所定量以上の水位を検出したときに前記タイマーで計測を開始し、計測した時間が所定時間Ｔ１に達すると前記警告表示部を駆動させるとともに、水位が所定量未満となったことを検出した後に、暖房運転を行い前記水槽部および前記気化フィルタが乾燥したと判断したときには前記タイマーの計測を停止することを特徴とする加湿機能付温風暖房機に係わるものである。
【０００９】
また、前記制御部は、前記水位検出部により水位が所定量未満となったことを検出してから前記温風用ヒータに通電した時間の計測を前記タイマーで開始し、前記通電時間が所定時間Ｔ２に達すると前記水槽部および前記気化フィルタが乾燥したと判断することを特徴とする請求項１記載の加湿機能付温風暖房機に係わるものである。
【００１０】
また、前記制御部は、前記タイマーの計測を停止中に前記水位検出部により再度所定量以上の水位を検出したら前記タイマーの計測を再開することを特徴とする請求項２記載の加湿機能付温風暖房機に係わるものである。
【発明の効果】
【００１１】
上述の構成にすることにより、水槽部内に残った水に雑菌が繁殖して悪臭が発生する前に水槽部及び気化フィルタの清掃時期をユーザーに報知することができるとともに、水槽部および気化フィルタに水がなく雑菌繁殖しにくい状態のときには清掃時期を判断する時間の計測を行うことなく、機器使用の実情に合った清掃時期の判断を行うことができるので、清掃の手間を少なくして使い勝手に優れた加湿機能付温風暖房機を提供することができる。
【図面の簡単な説明】
【００１２】
【図１】本発明における加湿機能付温風暖房機の外観斜視図である。
【図２】本発明における加湿機能付温風暖房機の縦断面構成図である。
【図３】本発明の制御部のブロック図である。
【図４】本発明の報知制御の動作を説明するフローチャートである。
【発明を実施するための形態】
【００１３】
好適と考える本発明の最良の形態を、本発明の作用効果を示して簡単に説明する。
【００１４】
本発明の加湿機能付温風暖房機は、制御部が、タイマーの初期状態から最初に水位検出部により所定量以上の水位を検出してからの時間の計測をタイマーで開始し、この時間が所定時間Ｔ１に達すると警告表示部を駆動させるものである。つまり、水槽部内に水が供給されれば加湿運転の有無にかかわらず水中に雑菌が繁殖する恐れがあるのだから、水槽部内に水がある時間を計測し、雑菌が繁殖する恐れのある時間が経過したら清掃時期になったと判断して、ユーザーに水槽部および気化フィルタの清掃を促す警告を行うことで悪臭の発生を未然に防止することができる。また、水を供給することなく機器を使用した場合には時間の計測を行わないので、清掃を促す警告を行うことはない。
【００１５】
さらに、水位が所定量未満となったことを検出した後に、水槽部および気化フィルタが乾燥したと判断したときにはタイマーの計測を停止するものである。つまり、水槽部および気化フィルタが乾燥して水が残っていなければ雑菌が繁殖しにくいので、この間は計測を停止する。これにより、機器使用の実情に合った清掃時期の判断を行うことができるので、清掃時期までの間隔を長くし、清掃回数を減らすことができるようになる。
【００１６】
また、水位検出部により水位が所定量未満となったことを検出した後に温風用ヒータに通電した時間が所定時間Ｔ２に達した場合には水槽部および気化フィルタが乾燥したと判断するようにした。つまり、水位が所定量未満になった後、水を供給せずに温風用ヒータに通電する暖房運転を行った場合には、温風用ヒータからの熱により水槽部内に残っている水が気化して水槽部および気化フィルタが乾燥状態となることから、この温風用ヒータの通電時間を計測することで確実に乾燥状態を判断することができる。加えて、水槽部および気化フィルタが乾燥したことを判定する装置を別途設置する必要がなく、水槽部の構造も複雑にならないのでコストを抑えることができる。
【００１７】
また、タイマーの計測を停止中に水位検出部により再度所定量以上の水位を検出したらタイマーの計測を再開するようにした。つまり、水槽部から水がなくなっても汚れやスケールは水槽部や気化フィルタに付着して残ったままであり、清掃により除去しなければ再び水に溶け出して雑菌が繁殖する恐れのある環境に戻ってしまうのだから、再度水が供給されたときには所定時間Ｔ１までの計測を、一旦停止する前までの時間から再開することで、悪臭が発生する前にユーザーに清掃を促すことができる。
【実施例１】
【００１８】
以下、本発明の一実施例を図面により説明する。
【００１９】
図１は本発明における加湿機能付温風暖房機の外観斜視図である。加湿機能付温風暖房機の本体１前面には温風を吹き出す吹出口２を有し、本体１天面には操作ボタンを備えるとともに運転状態を表示する操作部３、図示しない給水タンクを本体１に着脱する際に開閉するタンクカバー４が設けられている。
【００２０】
また、本体１側面の下部には挿入口５が設けられ、この挿入口５を介して本体１の下部には水槽部６を収容する空間となる水槽収容部７が形成されており、水槽部６は挿入口５から水槽収容部７に挿脱自在に装着される。そして、水槽部６には図示しない給水タンクから供給された水を吸水して湿潤する気化フィルタ８が設けられる。なお、水槽部６の内部は底面より立設する仕切板９によって、気化フィルタ８が設置される気化フィルタ収容部１０と、図示しない給水タンクが装着される給水タンク収容部１１とに区画されている。
【００２１】
図２は水槽部６装着状態における加湿機能付温風暖房機の縦断面構成図である。水槽部６の上部にはモータ１２とシロッコファン１３からなる送風機１４が設けられており、送風機１４の駆動により本体１背面の吸気口１５から本体１前面の吹出口２に連通する送風経路１６に送風が行われる。
【００２２】
送風機１４の直下には温風用ヒータ１７が配置されている。本実施例では、周辺温度や風量に応じて放熱する半導体ヒータの一種であるＰＴＣヒータを用いている。また、温風用ヒータ１７の容量は６００ＷのＰＴＣヒータを２つ用いることで１２００Ｗとしており、これにより、夫々の温風用ヒータ１７への通電を制御することで０Ｗ、６００Ｗ、１２００Ｗの出力切換を可能としている。なお、温風用ヒータ１７はＰＴＣヒータに限定されず、シーズヒーター、マイカヒーター等であってもよいが、消費電力および安全性の面ではＰＴＣヒータが優れている。
【００２３】
また、温風用ヒータ１７よりも下流側の送風経路１６は２本に分岐しており、一方は吹出口２に直接連通する温風経路１８、他方は気化フィルタ８を通過して吹出口２に連通する加湿温風経路１９が形成されている。送風経路１６の分岐点にはステッピングモータなどからなる駆動機構を備えたダンパ２０が設置されており、ユーザーの操作により運転モードが切り換えられた際には、後述する制御部２１はダンパ２０の位置を切り換えることによって温風用ヒータ１７で加熱された室内空気を温風経路１８あるいは加湿温風経路１９のいずれかに送風するように運転制御する。具体的には、温風経路１８に送風する時はダンパ２０を位置Ａに、加湿温風経路１９に送風する時はダンパ２０を位置Ｂに移動させ、これにより、温風のみ、あるいは温風を気化フィルタ８に通過させることで水槽部６の水を気化させた加湿温風のいずれかを吹出口２から放出することができる。
【００２４】
給水タンク収容部１１には、水槽部６内の水位に応じて回動するフロート２２が設けられている。フロート２２は端部にマグネット２３を備えるとともに、もう一方の端部にはフロート２２を水槽部６内部に軸支する回動軸２４を備え、水槽部６内の水位変動によってこの回動軸２４を支点としてフロート２２のマグネット２３側端部が上下に回動する構成となっている。また、水槽部６の壁面を挟んでフロート２２のマグネット２３側端部に対向する位置には、水位検出部となるリードスイッチ２５が水槽収容部７内に設けられている。
【００２５】
例えば、図２のように水槽部６内に所定量以上の水位があり、フロート２２が水面に浮遊してリードスイッチ２５とマグネット２３が近接する場合にはリードスイッチ２５はマグネット２３の磁気を検知しているので、リードスイッチ２５の接点が閉じてＯＮの状態となり、後述する制御部２１は水槽部６内が“水あり状態”であると検出する。逆に、水槽部６内の水位が低下して所定量未満になると、フロート２２のマグネット２３側端部が下向きに回動してリードスイッチ２５とマグネット２３との距離が離れ、リードスイッチ２５はマグネット２３の磁気を検知することができなくなるため、リードスイッチ２５の接点が開放されＯＦＦの状態となり、後述する制御部２１は水槽部６内が“水なし状態”であると検出する。なお、“水なし状態”と検出されていても、水槽部６内にはリードスイッチ２５では検知ができない程度のごく少量の水が残っている。
【００２６】
図３は加湿機能付温風暖房機の動作を制御する制御部２１の構成を示すブロック図である。マイコンからなる制御部２１の入力側には、ユーザーがボタンの操作を行う操作部３、リードスイッチ２５、室温を検出する室温センサ２６が接続されている。また、操作部３には、使用者が操作する各種ボタンが設けられており、本実施例では、運転の開始および停止を指示する運転ボタン２７、暖房運転のモードを設定する温風選択ボタン２８、加湿を行う加湿モードを設定する加湿ボタン２９、後述するお手入れランプ３０を消灯させるリセットスイッチとなるお手入れリセットボタン３１を備えている。
【００２７】
一方、制御部２１の出力側には、送風機１４、温風用ヒータ１７、ダンパ２０が接続されている。さらに、水槽部６および気化フィルタ８の清掃時期となったときに点滅する警告表示部となるお手入れランプ３０、図示しない給水タンクの水がなくなったときに点滅する給水ランプ３２が接続されている。
【００２８】
制御部２１は、温風選択ボタン２８の操作によって設定された暖房運転モードから暖房出力を決定して送風機１４の回転数と温風用ヒータ１７の出力を決定し、送風機１４を駆動するモータ１２および温風用ヒータ１７への通電を制御する。また、加湿ボタン２９によって選択される加湿の有無に連動してダンパ２０の位置が制御され、リードスイッチ２５から入力されるＯＮ、ＯＦＦの信号に基づく水槽部６内の水位判定によっても送風機１４、温風用ヒータ１７、ダンパ２０の駆動が制御される。
【００２９】
また、制御部２１には時間を計測して記録するタイマー３３が設けられている。このタイマー３３はお手入れリセットボタン３１により初期化され、水槽部６内が“水あり状態”となっている時間を清掃判定時間ｔ１として計測して記録する。そして、タイマー３３にて記録された清掃判定時間ｔ１が所定時間Ｔ１に達すると、制御部２１は水槽部６および気化フィルタ８の清掃時期になったと判断してお手入れランプ３０を点滅させる。
【００３０】
次に、加湿機能付温風暖房機の運転モードについて説明する。
【００３１】
加湿機能付温風暖房機の運転を開始する際には、まずユーザーは運転ボタン２７を操作し、そして、操作部３の各ボタンにより好みの運転モードを選択する。暖房運転モードとしては、連続的に暖房を行う連続運転モードと、室温センサ２６で検出した室温によって断続的に暖房を行う断続運転モードを備えており、本実施例では、温風選択ボタン２８を操作すると、運転モードが「強」「弱」「自動」に切り換わるようになっていて、「強」および「弱」が連続運転モード、「自動」が断続運転モードに相当する。
【００３２】
＜連続運転モード＞
温風選択ボタン２８を操作して「強」運転を選択すると、２つある温風用ヒータ１７の両方へ通電して１２００Ｗの出力で暖房を行い、「弱」運転を選択すると片方の温風用ヒータ１７へ通電して６００Ｗの出力で暖房を行う。このように「強」または「弱」が選択されている間は設定された一定の出力で、温風用ヒータ１７への通電を停止することなく連続して暖房が行われる。
【００３３】
＜断続運転モード＞
温風選択ボタン２８を操作して「自動」運転を選択すると、室温センサ２６が検出した室温によって温風用ヒータ１７の出力を６００Ｗと１２００Ｗで切換を行いつつ、室温が所定の温度よりも高くなった場合には温風用ヒータ１７と送風機１４への通電を停止して暖房運転を停止するように制御される。なお、室温が所定の温度を超えたために暖房運転を停止する際には、まず温風用ヒータ１７への通電を停止して、所定時間送風機１４のみを駆動するアフターランを行ったあとに送風機１４への通電が停止されて、運転待機の状態となる。
【００３４】
暖房運転モードを選択した状態ではダンパ２０は位置Ａにあり、加湿温風経路１９が塞がれるため、送風機１４の回転により本体１内に取り込まれた室内の空気は温風用ヒータ１７を通過して暖められた後、温風経路１８を通って吹出口２から排出される。
【００３５】
＜加湿モード＞
また、この加湿機能付温風暖房機には上述の暖房運転モードに加えて、加湿を行う加湿モードを備えていて、操作部３の加湿ボタン２９を押すことで加湿モードのＯＮ／ＯＦＦを設定することができる。
【００３６】
この加湿モードは、暖房運転の連続運転モードおよび断続運転モードと併用することで加湿暖房運転を行うこともできるし、温風用ヒータ１７への通電を行わないで加湿単独運転をすることもできる。そのため、加湿ボタン２９を操作して加湿モードを選択すると、暖房運転のモードは前述の「強」「弱」「自動」の他に温風用ヒータ１７に通電しないモードを選択することができるようになっている。なお、加湿モードが選択されたときにはダンパ２０は温風経路１８を塞ぐ位置Ｂに変更されるので、送風機１４の回転により取り込まれた空気は温風用ヒータ１７を通過した後、加湿温風経路１９を通って気化フィルタ８を通過する際に加湿空気となり吹出口２より排出される。
【００３７】
次に、本発明による報知制御の動作を図４のフローチャートを用いて説明する。本実施例では、タイマー３３に記録される清掃判定時間ｔ１がお手入れリセットボタン３１の操作により初期状態の“０”となっているときに加湿暖房運転を開始する場合を例として説明する。
【００３８】
加湿暖房運転モードを選択して運転を開始すると、まず、制御部２１は水槽部６内の水位をリードスイッチ２５からの検出信号により“水あり状態”かどうかを検出する（ステップ１）。このとき、“水あり状態”を検出したならば、タイマー３３で清掃判定時間ｔ１の計測を開始してこれを記録させる（ステップ２）。なお、加湿暖房運転の途中で運転ボタン２７を操作して運転停止させたとしても、清掃判定時間ｔ１の計測は停止することなく継続される。
【００３９】
次に、タイマー３３に記録された清掃判定時間ｔ１が所定時間Ｔ１（例えば３３６時間（＝１４日間））を経過したかどうかを判断する（ステップ３）。ここで所定時間Ｔ１とは、水槽部６内および気化フィルタ８内部の水に雑菌が繁殖することが想定される時間のことである。この所定時間Ｔ１を経過した場合には、制御部２１は水槽部６および気化フィルタ８の清掃時期になったと判断してお手入れランプ３０を点滅させることでユーザーに警告を行う（ステップ４）。これにより、水槽部６内に水が供給されてから水中に雑菌が繁殖する恐れのある時間が経過したことを報知し、ユーザーに水槽部６および気化フィルタ８の清掃を促すことで悪臭の発生を未然に防止することができる。ユーザーは、水槽部６および気化フィルタ８の清掃を行ったら、お手入れリセットボタン３１を押下げする（ステップ５）ことでお手入れランプ３０を消灯するとともに、タイマー３３に記録された清掃判定時間ｔ１を初期状態の“０”にリセットする（ステップ６）。
【００４０】
一方、ステップ３で所定時間Ｔ１を経過していない場合には、清掃判定時間ｔ１の計測を継続するとともに、水槽部６内の水位の検出を引き続き行う（ステップ７）。ここで、給水タンクからの水の供給がなくなり、水位が所定量未満に低下して水槽部６内にごく少量の水しか残っていない“水なし状態”であることを検出した場合には、給水ランプ３２を点滅させてユーザーに水の補給が必要であることを警告するとともに、ダンパ２０をＡの位置に移動させて加湿温風経路１９を塞ぐことで加湿運転を停止する（ステップ８）。
【００４１】
そして、運転開始時に加湿暖房運転モードを選択しているので、加湿運転の停止後は暖房単独運転に切り換わり温風経路１８より温風が吹き出される。このとき、制御部２１はタイマー３３で清掃判定時間ｔ１の計測を行いつつ、加湿運転が停止した時点からの温風用ヒータ１７への通電時間ｔ２の計測を開始してこれを記録させる（ステップ９）。
【００４２】
次に、タイマー３３に記録された温風用ヒータ１７への通電時間ｔ２が所定時間Ｔ２（例えば１０時間）を経過したかどうかを判断する（ステップ１０）。ここで所定時間Ｔ２とは、暖房単独運転の継続により温風用ヒータ１７から送られた温風がダンパ２０の隙間から加湿温風経路１９に流れ込んだり、あるいは温風用ヒータ１７の加熱によって本体１の内部温度が上昇することで水槽部６内および気化フィルタ８内部にごく少量残っていた水の気化が進み、乾燥することが想定される時間のことである。この所定時間Ｔ２を経過した場合には、制御部２１は水槽部６および気化フィルタ８に残っていた水が全て気化して乾燥したと判断し、清掃判定時間ｔ１の計測を停止する（ステップ１１）。つまり、水槽部６内および気化フィルタ８内部にごく少量でも水が残っていれば雑菌が繁殖して悪臭発生の恐れがあるが、逆に水が残っていなければ雑菌が繁殖しにくいので、この間は清掃判定時間ｔ１を計測する必要がない。これにより、機器使用の実情にあった清掃時期の判断を行うことができるので、清掃時期までの間隔を長くし、清掃回数を減らすことができる。
【００４３】
ステップ１１で清掃判定時間ｔ１の計測を停止した後は、水槽部６内に水が供給されたかどうかを検出し（ステップ１２）、“水あり状態”を検出した場合には、清掃判定時間ｔ１の計測を再開する（ステップ１３）。これにより、水槽部６や気化フィルタ８に付着していた汚れやスケールが再び水に溶け出して雑菌が繁殖する恐れのある環境に戻ったときには、所定時間Ｔ１までの計測は、一旦停止する前までにタイマー３３に記録していた清掃判定時間ｔ１から再開されるので、悪臭が発生する前にユーザーに清掃時期を報知することができる。
【００４４】
一方、ステップ１０で所定時間Ｔ２を経過していない場合には、制御部２１は清掃判定時間ｔ１の計測を継続するとともに、温風用ヒータ１７への通電時間ｔ２の計測を継続し、水槽部６内の水位の検出を引き続き行う（ステップ１４）。ここで、水槽部６内が“水なし状態”のままである場合には、温風用ヒータ１７への通電時間ｔ２が所定時間Ｔ２を経過したか（残っていた水が乾燥したか）どうかを繰り返し判断する。また、ステップ１４で水槽部６に水が供給されて“水あり状態”を検出した場合には、温風用ヒータ１７への通電時間ｔ２の計測を終了し、ステップ３に戻って清掃判定時間ｔ１が所定時間Ｔ１を経過したかどうかを判断する。
【００４５】
このように、水槽部６および気化フィルタ８が乾燥したときには清掃判定時間ｔ１の計測を停止し、水槽部６に水が供給されたときには計測を再開するようにしたことで、機器の使用の実情にあった清掃時期の判断を行うことができるので、清掃の手間を少なくして使い勝手に優れた加湿機能付温風暖房機となるのである。
【符号の説明】
【００４６】
６    水槽部
８    気化フィルタ
１４    送風機
１６    送風経路
１７    温風用ヒータ
２１    制御部
２５    水位検出部（リードスイッチ）
３０    警告表示部（お手入れランプ）
３１    リセットスイッチ（お手入れリセットボタン）
３３    タイマー
【図１】
0006529869.tif 000002
【図２】
0006529869.tif 000003
【図３】
0006529869.tif 000004
【図４】
0006529869.tif 000005